(57)【要約】【課題】低コストで無駄が無く使用に便利、且つ優れたリハビリ効果を提供するべく手腕及び指のリハビリ用ギプスを提供する。【解決手段】塑性を具有する材質で一体成形した掌部３０と指部３１とを設け、該掌部３０と指部３１とを連結部３４により連結させ、更に該掌部３０の後方には手腕部３７を設けることで使用者のリハビリが必要な個所に応じるべく長さの適当なギプスを提供し、患部を固定した状態にする、或いは連結部３６の連結により枢設することで、手の各関節を動かせるようにし、血液の良好な循環状態を保持し、筋肉等の萎縮や変形を防止する。【選択図】        図３
0003105222.tif 000002
【実用新案登録請求の範囲】
【請求項１】
塑性を具有する材質によりそれぞれ一体成形された指部と掌部とより構成されるリハビリ用ギプスにおいて、
該掌部には虎口定位部を具有し、該虎口定位部の下方には親指定位部を具有し、該掌部と指部は連結部によって連結されており、
装着しても患者の指や掌が可動なことを特徴とする手腕及び指のリハビリ用ギプス。
【請求項２】
該ギプスにおいて、該掌部の前端付近の両側壁には穿孔が設けられ、指部の後段両側壁には凸状耳が設けられ、該凸状耳には更に穿孔が設けられ、連結部を該指津及び該掌部の穿孔内に穿設することで枢設し、更に該掌部の後方には手腕部が延伸して設けられていおり、該掌部と手腕部が連結部により連結され、且つギプス全体には複数の通気孔が設けられていることを特徴とする請求項１記載の手腕及び指のリハビリ用ギプス。
【請求項３】
該ギプスにおいて、塑性を具有する材質により一体成形されており、且つ掌定位部、虎口定位部、親指定位部、及び指定位部を具有し、
該掌定位部で患者の掌をフィットさせる個所を提供し、該虎口定位部では円弧形を呈していることで虎口をフィットさせて定位する個所を提供し、該虎口定位部の下方には親指定位部が設けられていることで親指をフィットさせて定位する個所を提供し、該掌定位部の前方には指定位部が設けられて指をフィットさせて定位する個所を提供することにより、
固定式のギプスであることを特徴とする手腕及び指のリハビリ用ギプス。
【請求項４】
該ギプスにおいて、掌部の後方には手腕部が延伸して設けられており、且つ数個の通気孔が設けられていることを特徴とする請求項３記載の手腕及び指のリハビリ用ギプス。
【考案の詳細な説明】
【技術分野】
【０００１】
本考案は手腕及び指のリハビリ用ギプスに係り、特に患者の固定すべき個所、リハビリをすべき個所の必要に応じ、異なる長さのギプスを提供し、各部を固定或いは可動な状態で定位することで良好な血液循環を保ち、筋肉等の萎縮や変形を防止するリハビリ用ギプスに関わる。
【背景技術】
【０００２】
一般に市場でも販売されているカーボンファイバーやグラスファイバーを利用したギプスにおいては、樹脂や硬化剤をこれらに混合することにより塑性を具有する塑性板１が形成されており、図１に示すように該塑性版１を40℃から50℃のお湯に漬けることにより該塑性板１を軟化させ、漢方医で言う親指と人差し指の中間を指す「虎口」の部位に当たる個所を裁断し、更に該塑性板１を手の形状に合わせて変形させた後、周囲の余分な個所を裁断することで患者の手に合わせたギプスを提供している。
【０００３】
また公知におけるもう一つのギプスとしては、図２に示すように固定片２０を患者の手の適当な位置に合わせて固定し、該固定片２０を鉄線２１によって連結させて定位するものがある。これは該鉄線２１上に掛設した弾性部２２の弾力により、患者の指が動かせるためリハビリ効果を提供することができるようになっているものである。
【考案の開示】
【考案が解決しようとする課題】
【０００４】
しかし上述のような公知におけるギプスにおいては以下のような欠点がある。
先ず熱塑性を具有する材質によるものでは、必ず高温下で患者の手の形状に合わせて変形を完成させなければならず熱くて危険な作業が伴うこと、また材料費が高いが裁断をすることで材料の無駄が出ること、並びに40℃以下となって硬化してしまえば再度加熱することで成形しなければならないといった不具合がある。
また鉄線を利用したものにおいては、リハビリ効果を提供してはいるものの、親指と指に期待できるリハビリ効果は低く、特に親指と他の指の筋肉の萎縮や変形が懸念される。
そこで上述の欠点に鑑み、低コストで無駄が無く使用に便利であると同時に、装着しても手の筋肉を動かすことができ、血液循環を妨げずに優れたリハビリ効果を提供するべく本考案の手腕及び指のリハビリ用ギプスを提供する。
【課題を解決するための手段】
【０００５】
塑性を具有する材質により、それぞれ一体成形された指部と掌部とより構成し、該掌部には虎口定位部を設け、該虎口定位部の下方には親指定位部を設け、該掌部と指部を連結部によって連結させることで装着した患者の手を動かせるようにする、若しくは固定式のギプスを提供するべく、同じく塑性を具有する材質により一体成形された掌定位部と虎口定位部、及び親指定位部、指定位部を設け、該掌定位部で掌をフィットさせ、該虎口定位部では湾曲した形で親指と人差し指の中間を指す「虎口」をフィットさせ、該虎口定位部の下方に設けた親指定位部では親指を定位し、該掌定位部の前方には指定位部を設けて指を定位する。
【考案の効果】
【０００６】
本考案によると、材料の無駄無しに使用者の手におけるリハビリの必要な部分を動かすことのできるギプスを提供すると同時に、血液を滞りなく循環させ、筋肉等の萎縮や変形を防止する目的が達成された。
【考案を実施するための最良の形態】
【０００７】
図３，４に示すように、本考案の第一実施例におけるギプス３は主に塑性を具有する材質で一体成形された掌部３０と指部３１とが設けられ、該掌部３０には虎口定位部３２が成形されており（虎口とは漢方医で言うツボの位置であり、親指と人差し指中間の湾曲した個所を指す）、該虎口定位部３２の下方には親指定位部３３が形成されており、該掌部３０の前端は該指部３１との間に空隙３００が設けられており、前端両側壁上には穿孔３０１が設けられている。該指部３１の後段両側壁上には凸状耳３１０が設けられており、該凸状耳３１０上には穿孔３１１が設けられており、二つの連結部３４が該指部３１と掌部３０の穿孔３１１，３０１内を穿設する他、該掌部３０と指部３１上には複数の通気孔３５が設けられているものとする。
【０００８】
また該指部３１両側壁は該掌部３０の両側壁よりやや広く設計してもよく、且つ図５に示すように該掌部３０上に枢設できるものとすることでは、使用時に面テープや包帯などで患部或いはその付近の適当な個所を固定するものとしてもよい。こうすることで該ギプス３は連結部３４の枢設により、該指部３１は上下に動くことができるようになり（引き続き図５参照）、患者が掌の関節を動かすことができるようにすることで、優れたリハビリ効果を提供する。
【０００９】
本考案における第二実施例では、図６に示すように、上述の第一実施例中の掌部３０後段の両側壁と指部３１との間に空隙３０２を設け、連結部３６によって手腕部３７を連結し、該手腕部３７とは前端の両側縁に凸状耳３７０が設けられ、更に該手腕部３７上には数個の通気孔３５が設けられる。上述のように該連結部３６の枢設により、手腕の関節を動かすことができるようになり、血液の循環を滞らせることなく、手腕を固定しておくことによる筋肉等の萎縮や変形を防止し、リハビリ効果を高める。
【００１０】
また上述の第二実施例におけるもう一つの実施方法として、図７に示すように、ギプス４には主に塑性を具有する材質で一体成形された掌部定位部４０と虎口定位部４１、並びに親指定位部４２及び指定位部４３を具有するが、該虎口定位部４１は湾曲して円弧形を呈していることにより、漢方医において人体の親指と人差し指の間の「虎口」と呼ばれる個所にフィットする個所を提供し、また該虎口定位部４１の下方には親指定位部４２が設けられていることにより、該親指定位部４２の断面は円弧形を呈していることより、患者の親指が心地よい状態で定位されるようになっている。該掌定位部４０の前方には指定位部４３が設けられており、該指定位部４３は指の自然な湾曲に合わせた円弧面を呈しており、該指定位部４３の両側は上向きに円弧形を呈して突起した縁４３０が設けられており、ここでも指を定位する個所が提供されており、また該掌定位部４０後方よりは凹型に窪んだ手腕定位部４４が設けられており、手腕を真っ直ぐな状態で定位する個所を提供すると同時に、該ギプス４全体には適当な個所に複数の通気孔４６を設けておく。また図中には示していないが、必要に応じては該手腕定位部４４後方には延伸して上部の腕を定位する個所を設置してもよい。
【００１１】
使用時は手の虎口を該ギプス４の虎口定位部４１にあてがい、親指を該親指定位部４２上に位置させ、その他の四本の指は該指定位部４３上に位置させて該指定位部４３両側の縁４３０でずれないように定位し、手腕を該手腕定位部４４上に位置させ、こうすることで該ギプス４によって手腕や指が定位されて保護されると同時に、指や掌の関節を動かすことができるようになるが、手腕においては真っ直ぐに定位された状態のままで患部の安全を保ち、手の筋肉及び神経の萎縮や変形を防止すると同時に血液の循環を妨げないようにする。
【図面の簡単な説明】
【００１２】
【図１】公知構造におけるギプスの製造プロセスである。
【図２】もう一つの公知構造におけるギプスの使用説明図である。
【図３】本考案における第一実施例の立体分解図である。
【図４】本考案における第一実施例の立体組み立て図である。
【図５】本考案における第一実施例のもう一つの実施方法における立体図である。
【図６】本考案における第二実施例の立体図である。
【図７】本考案における第二実施例のもう一つの実施方法における立体図である。
【符号の説明】
【００１３】
１  塑性板
２  ギプス
２０  固定片
２１  鉄線
２２  弾性部
２０  固定片
３  ギプス
３０  掌部
３００  空隙
３０１  穿孔
３０２  空隙
３１  指部
３１０  凸状耳
３１１  穿孔
３２  虎口定位部
３３  親指定位部
３４  連結部
３５  通気孔
３６  連結部
３７  手腕部
３７０  凸状耳
４  ギプス
４０  掌定位部
４１  虎口定位部
４２  親指定位部
４３  指定位部
４３０  縁
４４  手腕定位部
４６  通気孔
【図１】
0003105222.tif 000003
【図２】
0003105222.tif 000004
【図３】
0003105222.tif 000005
【図４】
0003105222.tif 000006
【図５】
0003105222.tif 000007
【図６】
0003105222.tif 000008
【図７】
0003105222.tif 000009